(57)【特許請求の範囲】
【請求項１】
出隅部にて互いに直交して隣接する外壁材の間の隙間を外側から覆い隠す出隅カバーを、前記外壁材の内側から受けるための受け部材であって、
下地材に固定されるためのベース部と、
前記ベース部から前記隙間側に向かう方向に突設される突条部と、
前記突条部の突出端側に設けられ、前記出隅カバーを嵌合させるための嵌合部と、
を有し、
前記嵌合部は、
前記突条部の先端部から二つに分岐してなる一対の壁端面当接部であって、
前記外壁材の縦端面が当接される壁端面当接部を有する、構成とし、
前記ベース部には、外壁材の裏面側に対向し、出隅部から外壁材の裏側に浸入した水を受け止めるための略コ字状断面の水返し突部が設けられ、
前記各壁端面当接部には、それぞれ係止突条が形成され、前記係止突条の間に、前記出隅カバーを嵌入するための嵌合凹部が構成され、
前記壁端面当接部の先端部は、前記係止突条の基端部の位置よりも延出されてリブを形成しており、
前記係止突条を挟んで前記嵌合凹部と反対側となる位置において、前記リブと前記係止突条にて挟まれる略Ｖ字状の縦溝が構成される、受け部材。
【請求項２】
前記ベース部は、
それぞれ前記下地材に固定され、互いに直交して角部を構成する板状の固定部を有し、
前記角部に前記突条部が構成され、
前記各固定部において前記角部と反対側の位置に前記外壁材の裏面側に向けて突出される水返し突部が設けられ、
前記固定部の表面に対する前記固定部の厚み方向において、
前記水返し突部の突出寸法は、前記突条部の突出寸法よりも大きく構成される、
ことを特徴とする請求項１に記載の受け部材。
【請求項３】
前記壁端面当接部は、縦方向に延びる板面にて構成され、
前記外壁材の前記縦端面と面接触すべく構成される、
ことを特徴とする請求項１又は請求項２に記載の受け部材。
【請求項４】
出隅部にて互いに直交して隣接する外壁材と、
前記外壁材の間の隙間を外側から覆い隠す出隅カバーと、
前記出隅カバーを外壁材の内側から受けるための受け部材と、
を有してなる外壁出隅部の納まり構造であって、
前記受け部材は、
下地材に固定されるためのベース部と、
前記ベース部から前記隙間側に向かう方向に突設される突条部と、
前記突条部の突出端側に設けられ、前記出隅カバーを嵌合させるための嵌合部と、
を有し、
前記嵌合部は、
前記突条部の先端部から二つに分岐してなる一対の壁端面当接部であって、
前記外壁材の縦端面が当接される壁端面当接部を有する、構成とし
前記ベース部には、外壁材の裏面側に対向し、出隅部から外壁材の裏側に浸入した水を受け止めるための略コ字状断面の水返し突部が設けられ、
前記各壁端面当接部には、それぞれ係止突条が形成され、前記係止突条の間に、前記出隅カバーを嵌入するための嵌合凹部が構成され、
前記壁端面当接部の先端部は、前記係止突条の基端部の位置よりも延出されてリブを形成しており、
前記係止突条を挟んで前記嵌合凹部と反対側となる位置において、前記リブと前記係止突条にて挟まれる略Ｖ字状の縦溝が構成され、
前記出隅カバーは、
前記受け部材の嵌合部に嵌合される嵌合部と、
前記外壁材の表面と重なり代を確保するカバー面部と、
を有する、外壁出隅部の納まり構造。
【発明の詳細な説明】
【技術分野】
【０００１】
本発明は、窯業系サイディング（外壁材）にて外壁を構成するための技術に関するものであり、より詳しくは、出隅部の外側部分に配置される出隅カバーを内側から受けるための受け部材に関する。
【背景技術】
【０００２】
従来、例えば特許文献１に開示されるように、板状の外壁材（金属サイディング）を直交して配置し、その角部にて外壁の出隅部を構成する技術が知られている。出隅部においては、外壁材の間に隙間が形成されるため、この隙間を埋めるために、出隅カバー（化粧板）が取り付けられる。
【０００３】
そして、この出隅カバーは出隅部の外側部分に配置されるものであり、この出隅カバーを内側から保持するために、躯体側となる下地材には受け部材（取付部材）が取り付けられる。この受け部材には、二本の係止突条を対向してなる嵌合凹部が形成され、この嵌合凹部に出隅カバーに設けた係止突条を嵌入することで、出隅カバーが受け部材に嵌合固定される構成としている。
【先行技術文献】
【特許文献】
【０００４】
【特許文献１】特開平８−１９９７８５号公報
【発明の概要】
【発明が解決しようとする課題】
【０００５】
図７は、特許文献１と同様の構成例を示すものであり、出隅カバー９１の係止突条９２が出隅カバー９３の係止突条９４の内側に係止される構成としている。係止突条９４は、Ｌ字状の固定片９５の角部の位置において、斜略４５度の方向に突出される。
【０００６】
ここで、外壁材９０の端面９０ａは、出隅カバー９３の係止突条９４の基端部に当接する位置まで寄せることができるが、最も寄せた場合であっても、出隅部の直交点Ｐ（外壁材９０の表面の延長線が交差する点）から、幅Ｘ１だけ離れた位置に配置されてしまう。
【０００７】
そして、出隅カバー９１のカバー表面９１ａにより、外壁材９０との十分な重なり代Ｘ２を確保しようとすると、必然的にカバー表面９１ａの幅Ｘ３が広くなってしまう。
【０００８】
しかし、幅Ｘ３が広くなるほど出隅カバー９１が目立ってしまうことになり、外壁材９０との表面の質感の違いも相まって、意匠性を損なってしまうことがある。つまり、出隅部における外壁材９０の連続性が顕著に損なわれてしまうことになる。特に、外壁材９０が窯業系サイディングで構成される場合において、金属製の出隅カバー９１を使用する場合には、その表面の質感が顕著に異なり、意匠性を損ない易くなってしまう。
【０００９】
そこで、本発明は以上の問題に鑑み、出隅部において外壁材の端面同士をより近づけて配置することを可能とし、これにより、出隅カバーの幅を少なく抑えることを可能とするための新規な技術を提案する。
【課題を解決するための手段】
【００１０】
本発明の解決しようとする課題は以上の如くであり、次にこの課題を解決するための手段を説明する。
【００１１】
即ち、請求項１に記載のごとく、
出隅部にて互いに直交して隣接する外壁材の間の隙間を外側から覆い隠す出隅カバーを、前記外壁材の内側から受けるための受け部材であって、
下地材に固定されるためのベース部と、
前記ベース部から前記隙間側に向かう方向に突設される突条部と、
前記突条部の突出端側に設けられ、前記出隅カバーを嵌合させるための嵌合部と、
を有し、
前記嵌合部は、
前記突条部の先端部から二つに分岐してなる一対の壁端面当接部であって、
前記外壁材の縦端面が当接される壁端面当接部を有する、構成とし、
前記ベース部には、外壁材の裏面側に対向し、出隅部から外壁材の裏側に浸入した水を受け止めるための略コ字状断面の水返し突部が設けられ、
前記各壁端面当接部には、それぞれ係止突条が形成され、前記係止突条の間に、前記出隅カバーを嵌入するための嵌合凹部が構成され、
前記壁端面当接部の先端部は、前記係止突条の基端部の位置よりも延出されてリブを形成しており、
前記係止突条を挟んで前記嵌合凹部と反対側となる位置において、前記リブと前記係止突条にて挟まれる略Ｖ字状の縦溝が構成される、受け部材とする。
【００１３】
また、請求項２に記載のごとく、
前記ベース部は、
それぞれ前記下地材に固定され、互いに直交して角部を構成する板状の固定部を有し、
前記角部に前記突条部が構成され、
前記各固定部において前記角部と反対側の位置に前記外壁材の裏面側に向けて突出される水返し突部が設けられ、
前記固定部の表面に対する前記固定部の厚み方向において、
前記水返し突部の突出寸法は、前記突条部の突出寸法よりも大きく構成される。
【００１４】
また、請求項３に記載のごとく、
前記壁端面当接部は、縦方向に延びる板面にて構成され、
前記外壁材の前記縦端面と面接触すべく構成される。
【００１５】
また、請求項４に記載のごとく、
出隅部にて互いに直交して隣接する外壁材と、
前記外壁材の間の隙間を外側から覆い隠す出隅カバーと、
前記出隅カバーを外壁材の内側から受けるための受け部材と、
を有してなる外壁出隅部の納まり構造であって、
前記受け部材は、
下地材に固定されるためのベース部と、
前記ベース部から前記隙間側に向かう方向に突設される突条部と、
前記突条部の突出端側に設けられ、前記出隅カバーを嵌合させるための嵌合部と、
を有し、
前記嵌合部は、
前記突条部の先端部から二つに分岐してなる一対の壁端面当接部であって、
前記外壁材の縦端面が当接される壁端面当接部を有する、構成とし
前記ベース部には、外壁材の裏面側に対向し、出隅部から外壁材の裏側に浸入した水を受け止めるための略コ字状断面の水返し突部が設けられ、
前記各壁端面当接部には、それぞれ係止突条が形成され、前記係止突条の間に、前記出隅カバーを嵌入するための嵌合凹部が構成され、
前記壁端面当接部の先端部は、前記係止突条の基端部の位置よりも延出されてリブを形成しており、
前記係止突条を挟んで前記嵌合凹部と反対側となる位置において、前記リブと前記係止突条にて挟まれる略Ｖ字状の縦溝が構成され、
前記出隅カバーは、
前記受け部材の嵌合部に嵌合される嵌合部と、
前記外壁材の表面と重なり代を確保するカバー面部と、
を有する、外壁出隅部の納まり構造とする。
【発明の効果】
【００１６】
本発明の効果として、以下に示すような効果を奏する。
【００１７】
即ち、請求項１に記載の発明においては、外壁材の縦端面と嵌合部が干渉する位置を、突条部が無い場合の干渉位置と比較して出隅部の直交点（外壁材の表面の延長線が交差する点）側により近づけることができ、幅の狭いカバー面部を用いても十分な重なり代を確保することができる。そして、幅の狭いカバー面部を用いることが可能となることで、出隅カバーが目立ち難い構成が実現できる。
また、施工時において、壁端面当接部に外壁材の縦端面を当接させるようにして、外壁材の位置決めを行うことが可能となる。
【００１９】
また、請求項２に記載の発明においては、外壁材を下地材に近づけた場合、水返し突部に外壁材の裏面が当接することになり、突条部の先端部、即ち、壁端面当接部の分岐点に、外壁材の裏側の角部が突き当たることを防止できる。そして、これにより、外壁材の裏側の角部が分岐点に直接的に突き当たることによる分岐点を基点とした壁端面当接部の破断を防止することができる。
【００２０】
また、請求項３に記載の発明においては、外壁材の縦端面と壁端面当接部の間を通じた水の浸入を防止することができる。また、上下に隣り合う外壁材の接合部に形成され、横方向に開放される隙間の開口を、この壁端面当接部により横から塞ぐことが可能となり、隙間を通じての水の浸入を壁端面当接部によって効果的に防止できる。
【００２１】
また、請求項４に記載の発明においては、幅の狭いカバー面部を用いても十分な重なり代を確保することができ、出隅カバーが目立ち難い構成が実現できる。
【図面の簡単な説明】
【００２２】
【図１】出隅カバーと受け部材を用いた出隅部の納まりについて示す水平断面図。
【図２】出隅カバーと受け部材を用いた出隅部の納まりについて示す正面斜視図。
【図３】（Ａ）は出隅カバーと受け部材の断面図、（Ｂ）は出隅カバーと受け部材の一部拡大図。
【図４】本発明に係る受け部材による効果について説明する図。
【図５】本発明に係る受け部材の突条部の寸法に関係する内容について説明する図。
【図６】（Ａ）は外壁材の上下の接合箇所について説明する図。（Ｂ）は接合箇所における壁端面当接部による水の浸入防止について説明する図。
【図７】従来の出隅カバーと受け部材の構成について説明する図。
【発明を実施するための形態】
【００２３】
図１は、本発明に係る出隅カバー２０の受け部材３０を用いた出隅部１の納まりについて示す水平断面図、図２は同じく正面斜視図、図３（Ａ）は出隅カバー２０と受け部材３０の断面図、図３（Ｂ）は同じく一部拡大図である。
【００２４】
図１乃至図３に示すように、出隅部１においては、躯体２（柱）に対して固定金具３，３を介して外壁材４，４が留め付けられる。躯体２と固定金具３，３の間には胴縁５が介設される。固定金具３や胴縁５の厚みは、外壁材４の厚みなどに応じて適宜設定され、外壁材４の裏側に通気層を確保する構成も実現できる。なお、胴縁５を用いない構成においても本願発明は適用できる。
【００２５】
本実施例の外壁材４は、窯業系サイディング（外壁材）にて構成されており、その上部に設けた合決部４ｕに対し固定金具３の爪部３ａを引っ掛けるようにして、躯体２に対する外壁材４の留め付けが行われる。なお、外壁材４，４については、窯業系際ティングの他、金属サイディングなど、他の種別の外壁材についても、本発明は適用できる。
【００２６】
外壁材４，４は、その縦端面４ａ，４ａ同士を近づけて、平面視において直交するように配置され、縦端面４ａ，４ａの間の隙間４ｓに受け部材３０の嵌合部３１が配置される。そして、この嵌合部３１に出隅カバー２０の嵌合部２１が嵌合され、出隅カバー２０の外装面によって、外壁材４，４の縦端面４ａ，４ａの間の隙間４ｓ（図１）が覆い隠される。
【００２７】
受け部材３０は、躯体２（胴縁５）の表面に固定されるベース部３２を有する長尺部材で構成され、ベース部３２の角部３２ｄに出隅カバー２０を受けるための嵌合部３１が配置される。受け部材３０は、アルミや樹脂などの押出し成形品や、板金加工品にて構成することができる。
【００２８】
本実施例では、中心線Ｃを基準に線対称となる形状にて構成されており、躯体２（胴縁５）に当接される二つの固定部３２ａ，３２ａにてＬ字状のベース部３２が構成され、固定部３２ａ，３２ａにビス３２ｂ（図１参照）を打ち込むことで、躯体２に受け部材３０が固定される。固定部３２ａ，３２ａは板状にて構成され、その表面にはビス３２ｂの打ち込み箇所の目印となる縦線３２ｆ（図２）が配置される。
【００２９】
各固定部３２ａ，３２ａの端部には、外壁材４の裏面４ｂ側に延びる水返し突部３２ｃ，３２ｃが形設されており、出隅部から外壁材４の裏側に浸入した水を受け止め、下方に流す構成としている。本実施例の水返し突部３２ｃ，３２ｃは、略コ字状断面を構成することとし、内側に立て溝を形成し、水をガイドしやすい構成としている。なお、水返し突部３２ｃ，３２ｃを外壁材４の裏面４ｂまで当接させる構成としてもよく、また、水返し突部３２ｃ，３２ｃと外壁材４の裏面４ｂの間にパッキンなどが挟装される構成としてもよい。
【００３０】
固定部３２ａ，３２ａ同士の連結部分となる角部３２ｄには、中心線Ｃの方向、即ち、固定部３２ａの表面に対し約１３５度の方向に突設する一片の突条部３３が形成される。なお、突条部３３については、一片とする他、例えば、平行な二片を有して全体として一つの突条部をなすものなどであってもよく、具体的な構成については特に限定するものではない。
【００３１】
突条部３３の突端部には、互いに直交するように配置される壁端面当接部３４，３４が形成される。壁端面当接部３４，３４には、外壁材４，４の縦端面４ａ，４ａが突き当てられ（当接される）、壁端面当接部３４と縦端面４ａが密着することで、両者の間を通じた水の浸入が防がれる。また、壁端面当接部３４に縦端面４ａを突き当てる構成とすることで、外壁材４を設置する際に、壁端面当接部３４の位置決め箇所として利用できる。
【００３２】
各壁端面当接部３４，３４には、それぞれ、互いに平行となるように配置される係止突条３５，３５が形成される。この係止突条３５，３５の間に、出隅カバー２０の係止突条２５，２５を嵌入するための嵌合凹部３６が構成される。
【００３３】
各壁端面当接部３４，３４の先端部は、係止突条３５，３５の基端部の位置よりも延出されてリブ３８（図３（Ｂ））を形成しており、係止突条３５を挟んで嵌合凹部３６と反対側となる位置において、壁端面当接部３４と係止突条３５（リブ３８部分）にて挟まれる略Ｖ字状の縦溝３７が構成される。この縦溝３７を通じ、出隅カバー２０の内側に浸入した水を効率よく下方に排出することができる。
【００３４】
出隅カバー２０は、長尺部材により構成されており、受け部材３０の嵌合凹部３６に挿入され、係止突条３５，３５に係止される係止突条２５，２５を有して構成される。出隅カバー２０は、アルミや樹脂などの押出し成形品や、板金加工品にて構成することができる。
【００３５】
本実施例では、中心線Ｃを基準に線対称となる形状にて構成されており、中心線Ｃと直交する角カバー面部２２ａと、外壁材４，４の表面４ｃ，４ｃに対向させるように角カバー面部２２ａの両側から延びるカバー面部２２ｂ，２２ｂとを有している。
【００３６】
角カバー面部２２ａの内側には、係止突条２５，２５が互いに平行となるように配置される。係止突条２５の先端部には、係止部２５ａが形設され、この係止部２５ａが受け部材３０の係止突条３５に形成された係止部３５ａ（図３（Ｂ））に係止される。両係止部２５ａ，３５ａは、係止突条２５を押し込む方向の移動は許容し、その逆方向の移動は許容しないように構成されており、係止突条２５の抜け止めとして機能する。
【００３７】
また、係止突条３５側の係止部３５ａは、係止突条３５の突出方向において複数個所に形成されており、係止部２５ａの係止箇所を複数個所から可能に構成される。本実施例の係止部３５ａでは、微小の突条を複数列有して構成される。
【００３８】
出隅カバー２０を取り付ける際には、カバー面部２２ｂを外壁材４の表面４ｃに当接するまで出隅カバー２０全体を押し込み、係合部２１，３１同士を嵌合することで、取り付けが完了できる。この際、係止突条２５（係止部２５ａ）が係止突条３５（係止部３５ａ）のいずれかの箇所で係止され、その係止が維持されることで、カバー面部２２ｂを外壁材４の表面４ｃに当接させた状態を維持できる。なお、カバー面部２２ｂと外壁材４の表面４ｃの間にパッキンなどが挟装される構成としてもよい。
【００３９】
以上の構成において、以下に説明する特徴的な構成を実現することができる。
まず、図１乃至図４に示すように、
出隅部１にて互いに直交して隣接する外壁材４，４の間の隙間４ｓを外側から覆い隠す出隅カバー２０を、外壁材４，４の内側から受けるための受け部材３０であって、
下地材（躯体２（胴縁５））に固定されるためのベース部３２と、
ベース部３２から隙間４ｓ側に向かう方向に突設される突条部３３と、
突条部３３の突出端側に設けられ、出隅カバー２０を嵌合させるための嵌合部３１と、
を有する受け部材３０とする。
【００４０】
この構成では、図４に示すように、突条部３３の突出方向Ｔにおいて、突条部３３の寸法３３ｘだけベース部３２から離れた位置に出隅カバー２０を嵌合するための嵌合部３１を配置させることが可能となる。これにより、外壁材４の縦端面４ａと嵌合部３１が干渉する位置Ｌ１を、突条部３３が無い場合の干渉位置Ｌ２と比較して出隅部の直交点Ｐ（外壁材４の表面の延長線が交差する点）側（矢印Ｘｐ方向）により近づけることができ、幅の狭いカバー面部２２ｂを用いても十分な重なり代Ｘ２を確保することができる。そして、幅の狭いカバー面部２２ｂを用いることが可能となることで、出隅カバー２０が目立ち難い構成が実現できる。
【００４１】
なお、仮に、突条部３３を設けない場合には、外壁材４の縦端面４ａと嵌合部３１は干渉位置Ｌ２にて干渉することになる。このため、重なり代Ｘ２を確保する場合には、位置Ｌ３の位置までカバー面部２２ｂを構成する必要があり、幅Ｘ４だけカバー面部２２ｂが広くなって、出隅カバー２０が目立つ構成となってしまう。換言すれば、本発明の構成によれば、従来構造と比較して、幅Ｘ４だけ狭いカバー面部２２ｂを有する出隅カバー２０を構成することが可能となる。
【００４２】
また、図４に示すように、嵌合部３１は、突条部３３の先端部３３ｐ（分岐点３４Ａ）から二つに分岐してなる一対の壁端面当接部３４，３４であって、外壁材４の縦端面４ａが当接される壁端面当接部３４，３４を有する、構成とする。
【００４３】
これにより、施工時において、壁端面当接部３４に外壁材４の縦端面４ａを当接させるようにして、外壁材４の位置決めを行うことが可能となる。
【００４４】
また、図３（Ａ）及び図５に示すように、ベース部３２は、それぞれ下地材（躯体２（胴縁５））に固定され、互いに直交して角部３２ｄを構成する板状の固定部３２ａ，３２ａを有し、
角部３２ｄに突条部３３が構成され、
各固定部３２ａ，３２ａにおいて角部３２ｄと反対側の位置に外壁材４の裏面４ｂ側に向けて突出される水返し突部３２ｃ，３２ｃが設けられ、
固定部３２ａの表面３２ｅに対する固定部３２ａの厚み方向Ｈにおいて、
水返し突部３２ｃの突出寸法３２ｈは、突条部３３の突出寸法３３ｈよりも大きく構成される、こととする。
例えば、突出寸法３２ｈを突出寸法３３ｈよりも、０．２ｍｍ〜５ｍｍ程度大きくする。
【００４５】
これにより、仮に、図５の構成において、外壁材４を下地材（躯体２（胴縁５））に近づけて配置した場合、水返し突部３２ｃに外壁材４の裏面４ｂが当接することになり、突条部３３の先端部、即ち、壁端面当接部３４，３４の分岐点３４Ａに、外壁材４の裏側の角部４ｋが突き当たることを防止できる。そして、角部４ｋが分岐点３４Ａに直接的に突き当たることによる分岐点３４Ａを基点とした壁端面当接部３４の破断を防止することができる。
【００４６】
また、図４に示すように、壁端面当接部３４，３４は、縦方向に延びる板面にて構成され、外壁材４，４の縦端面４ａと面接触すべく構成される。
【００４７】
これにより、外壁材４の縦端面４ａと壁端面当接部３４の間を通じた水の浸入を防止することができる。また、図６（Ａ）（Ｂ）に示すように、上下に隣り合う外壁材４の接合部４Ｓにおいて横方向に開放される隙間４Ｍの開口を、この壁端面当接部３４により横から塞ぐことが可能となり、隙間４Ｍを通じての水の浸入を壁端面当接部３４によって効果的に防止できる。なお、図６（Ａ）（Ｂ）の接合部４Ｓの例では、上下の合決部４ｄ，４ｕを接合してなる合決接合により隙間４Ｍが構成される例としているが、このほかの接合形態においても、同様の効果を得ることができる。
【００４８】
また、図１乃至図４に示すように、
出隅部１にて互いに直交して隣接する外壁材４，４と、
外壁材４，４の間の隙間４ｓを外側から覆い隠す出隅カバー２０と、
出隅カバー２０を外壁材４，４の内側から受けるための受け部材３０と、
を有してなる外壁出隅部の納まり構造であって、
受け部材３０は、
下地材（躯体２（胴縁５））に固定されるためのベース部３２と、
ベース部３２から隙間４ｓ側に向かう方向に突設される突条部３３と、
突条部３３の突出端側に設けられ、出隅カバー２０を嵌合させるための嵌合部３１と、
を有し、
出隅カバー２０は、
受け部材３０の嵌合部３１に嵌合される嵌合部３１と、
外壁材４，４の表面４ｃと重なり代Ｘ２を確保するカバー面部２２ｂ，２２ｂと、
を有する、外壁出隅部の納まり構造とする。
【００４９】
これによれば、図４に示すように、幅の狭いカバー面部２２ｂを用いても十分な重なり代Ｘ２を確保することができ、出隅カバー２０の目立ち難い構成が実現できる。
【産業上の利用可能性】
【００５０】
本発明の構成は、窯業サイディングなどの板状の外壁材を用いる場合において、出隅部を構成する場合に広く適用することができる。
【符号の説明】
【００５１】
１    出隅部
２    躯体
３    固定金具
４    外壁材
４ａ    縦端面
４ｓ    隙間
５    胴縁
２０    出隅カバー
２１    嵌合部
３０    受け部材
３１    嵌合部
３２    ベース部
３２ｂ    ビス
３２ｃ    突部
３２ｄ    角部
３３    突条部
３４    壁端面当接部
【図１】
0006670579.tif 000002
【図２】
0006670579.tif 000003
【図３】
0006670579.tif 000004
【図４】
0006670579.tif 000005
【図５】
0006670579.tif 000006
【図６】
0006670579.tif 000007
【図７】
0006670579.tif 000008